(57)【特許請求の範囲】
【請求項１】
アレイ基板と、
前記アレイ基板の上層に位置するＯＬＥＤ層と、
前記アレイ基板と前記ＯＬＥＤ層との間に位置する感光素子アレイと、
前記感光素子アレイに接続された制御回路と、を備え、
前記アレイ基板はｍ×ｎ個の画素ユニットを備え、各前記画素ユニットはＫ個のサブ画素ユニットを備え、前記サブ画素ユニットは、薄膜トランジスタ（ＴＦＴ）領域と非ＴＦＴ領域とを備え、
前記感光素子アレイはａ×ｂ個の感光素子を備え、各前記感光素子は一つの前記サブ画素ユニットに対応し、一部の前記感光素子は、前記ＴＦＴ領域上に配置され、その他の感光素子は、前記非ＴＦＴ領域上に配置され、
ａ≦Ｋ×ｍ、かつｂ≦ｎである、
ことを特徴とするＯＬＥＤパネル。
【請求項２】
前記感光素子アレイにおける前記感光素子は、前記アレイ基板における前記サブ画素ユニットに一対一に対応し、ａ＝Ｋ×ｍ、かつｂ＝ｎであり、又は、
前記感光素子アレイは、前記アレイ基板の部分領域に位置し、前記感光素子アレイにおける前記感光素子は、前記部分領域における前記サブ画素ユニットに一対一に対応し、ａ＜Ｋ×ｍ、かつｂ＜ｎ、又は、ａ＜Ｋ×ｍ、かつｂ＝ｎ、又は、ａ＝Ｋ×ｍ、かつｂ＜ｎである、
ことを特徴とする請求項１に記載のＯＬＥＤパネル。
【請求項３】
前記制御回路は、ａ列のデータ線とｂ行の制御線とを備え、
前記制御線の各行は、それぞれａ個のスイッチを介してａ列の前記データ線と接続され、
各スイッチの制御端子は前記制御線に接続され、各前記スイッチの第１の接続端子は対応する前記感光素子に接続され、各前記スイッチの第２の接続端子は対応する前記データ線に接続される、
ことを特徴とする請求項１又は２に記載のＯＬＥＤパネル。
【請求項４】
各前記感光素子の感光する側には、レンズが更に配置されている、
ことを特徴とする請求項１乃至３のいずれかに記載のＯＬＥＤパネル。
【請求項５】
前記ＯＬＥＤ層の上層に位置するガラス基板と、
前記ガラス基板の上層に位置する偏光板と、
前記偏光板の上層に位置するレンズと、
を更に備える、ことを特徴とする請求項１乃至４のいずれかに記載のＯＬＥＤパネル。
【請求項６】
請求項１乃至５のいずれかに記載のＯＬＥＤパネルを備えることを特徴とする端末。
【請求項７】
前記ＯＬＥＤパネルは、請求項５に記載のＯＬＥＤパネルであり、
前記端末は、さらに、各前記データ線及び各前記制御線に接続された感光制御ユニットを備える、
ことを特徴とする請求項６に記載の端末。
【請求項８】
請求項３に記載のＯＬＥＤパネルに接続された感光制御ユニットにおいて使用するための感光制御方法であって、
第ｉ行の前記感光素子と前記データ線とが接続されるように制御するためのイネーブル信号を、第ｉ行の前記制御線に送信するステップと、
前記データ線を介して第ｉ行の前記感光素子により収集された感光信号を取得するステップと、
ｉがｂより小さい場合、ｉ＝ｉ＋１に設定し、前記第ｉ行の前記制御線に前記イネーブル信号を送信するステップを再度実行するステップと、
ｉがｂに等しい場合、ｉ＝１に設定し、前記第ｉ行の前記制御線に前記イネーブル信号を送信するステップを再度実行するステップと、
を含むことを特徴とする感光制御方法。
【請求項９】
コンピュータを動作させるとき、請求項８に記載の感光制御方法をコンピュータに実行させるコンピュータプログラム。
【請求項１０】
請求項９に記載のコンピュータプログラムが記憶されたコンピュータ読み取り可能記憶媒体。
【発明の詳細な説明】
【技術分野】
【０００１】
［関連出願への相互参照］
本出願は、２０１５年１１月１３日に中国国家知識産権局に出願された中国特許出願Ｎｏ．２０１５１０７７９９７６８に基づくとともに当該出願への優先権を主張し、その全体の内容が参照によってここに取り込まれる。
【０００２】
［技術分野］
本発明は、ディスプレイ技術の分野に関し、特に、有機発光ディスプレイ（ＯＬＥＤ）パネル、端末及び感光制御方法に関する。
【背景技術】
【０００３】
カメラは、モバイル端末においてありふれた構成要素である。カメラは、画像を収集するために利用される。カメラは、それがモバイル端末に配置された位置により、フロントカメラとリアカメラに分けられる。
【０００４】
フロントカメラを例として、モバイル端末の前面板は、ＯＬＥＤパネル領域と額縁領域を含む。関連技術においては、額縁領域に小孔が設けられて、フロントカメラが当該小孔の中に配置される。
【発明の概要】
【発明が解決しようとする課題】
【０００５】
カメラを配置するための小孔を端末に別個に配置する必要がある問題を解決するように、本開示は、ＯＬＥＤパネル、端末及び感光制御方法を提供する。当該技術案は、以下に示すものである。
【課題を解決するための手段】
【０００６】
本発明の実施形態の第１の側面によると、アレイ基板と、アレイ基板の上層に位置するＯＬＥＤ層と、アレイ基板と同じ層に位置する感光素子アレイ、又は、アレイ基板とＯＬＥＤ層との間に位置する前記感光素子アレイと、感光素子アレイに接続された制御回路と、を備えるＯＬＥＤパネルが提供される。
【０００７】
代替的に、アレイ基板はｍ×ｎ個の画素ユニットを備え、各前記画素ユニットはＫ個のサブ画素ユニットを備え、感光素子アレイはａ×ｂ個の感光素子を備え、各前記感光素子は、一つのサブ画素ユニットに対応し、ａ≦Ｋ×ｍ、かつｂ≦ｎである。
【０００８】
代替的に、感光素子アレイにおける感光素子は、アレイ基板におけるサブ画素ユニットに一対一に対応し、ａ＝Ｋ×ｍ、かつｂ＝ｎであり、又は、感光素子アレイは、アレイ基板の部分領域に位置し、感光素子アレイにおける感光素子は、部分領域におけるサブ画素ユニットに一対一に対応し、ａ＜Ｋ×ｍ、かつｂ＜ｎ、又は、ａ＜Ｋ×ｍ、かつｂ＝ｎ、又は、ａ＝Ｋ×ｍ、かつｂ＜ｎである。
【０００９】
代替的に、感光素子アレイは、アレイ基板と同じ層に位置し、サブ画素ユニットは、薄膜トランジスタ（ＴＦＴ）領域と非ＴＦＴ領域とを備え、少なくとも１つの感光素子が存在する位置が、対応するサブ画素ユニットの非ＴＦＴ領域に位置する。
【００１０】
代替的に、感光素子アレイは、アレイ基板とＯＬＥＤ層との間に位置し、感光素子が存在する位置は、対応するサブ画素ユニットの領域における任意の位置に位置する。
【００１１】
代替的に、制御回路は、a列のデータ線とｂ行の制御線とを備え、制御線の各行は、それぞれａ個の第１スイッチを介してａ列のデータ線と接続され、各スイッチの制御端子は制御線に接続され、各スイッチの第１の接続端子は対応する感光素子に接続され、各スイッチの第２の接続端子は対応するデータ線に接続される。
【００１２】
代替的に、各感光素子の感光する側には、レンズが更に配置されている。
【００１３】
代替的に、当該ＯＬＥＤパネルは、ＯＬＥＤ層の上層に位置するガラス基板と、ガラス基板の上層に位置する偏光板と、偏光板の上層に位置するレンズと、を更に備える。
【００１４】
本発明の実施形態の第２の側面によると、本発明の実施形態の第１の側面に係るＯＬＥＤパネルを備える端末が提供される。
【００１５】
代替的に、前記端末は、さらに、各データ線及び各制御線に接続された感光制御ユニットを備える。
【００１６】
本発明の実施形態の第３の側面によると、本発明の実施形態の第１の側面に係るＯＬＥＤパネルに接続された感光制御ユニットにおいて使用される感光制御方法が提供される。当該感光制御方法は、第ｉ行の前記感光素子と前記データ線とが接続されるように制御するためのイネーブル信号を、第ｉ行の前記制御線に送信するステップと、データ線を介して第ｉ行の感光素子により収集された感光信号を取得するステップと、ｉがｂより小さい場合、ｉ＝ｉ＋１に設定し、前記第ｉ行の制御線にイネーブル信号を送信するステップを再度実行するステップと、ｉがｂに等しい場合、ｉ＝１に設定し、前記第ｉ行の制御線にイネーブル信号をイネーブルするステップを再度実行するステップと、を含む
【発明の効果】
【００１７】
本発明の実施形態が提供する技術案は、以下の有益な効果がある。
【００１８】
感光素子アレイが、ＯＬＥＤパネルのアレイ基板の上に、又は、アレイ基板とＯＬＥＤ層との上層に配置されることにより、モバイル端末の前面板が一般に複数の領域に分けられる必要がある問題を解決する。また、カメラ機能が、ＯＬＥＤパネルの中に統合され、端末の前面板に単にＯＬＥＤパネルが配置されても、画像表示機能及びカメラ機能を有し、それによって、端末における前面板の全体の一貫性及び美観を高める。
【００１９】
前述の一般的な記述と次に続く詳細な記述の両方は、例示ためだけのものであり、請求項に係る発明を限定するものではないと理解されるべきである。
【図面の簡単な説明】
【００２０】
本明細書に取り入れられその一部を構成する添付図面は、本発明と整合する実施形態を例示し、詳細な説明とともに本発明の原理を説明するのに役立つものである。
【００２１】
【図１】図１は、背景技術に係るＯＬＥＤパネルを示す構成図である。
【図２】アレイ基板における画素ユニットの配置を示す構成図である。
【図３Ａ】本発明の実例となる実施形態に係るＯＬＥＤパネルを示す構成図である。
【図３Ｂ】本発明の別の実例となる実施形態に係るＯＬＥＤパネルを示す構成図である。
【図４Ａ】本発明の実例となる実施形態に係る感光素子が配置される位置を示す構成図である。
【図４Ｂ】本発明の実例となる実施形態に係る感光素子が配置される位置を示す構成図である。
【図４Ｃ】本発明の実例となる実施形態に係る感光素子が配置される位置を示す構成図である。
【図４Ｄ】本発明の別の実例となる実施形態に係る感光素子が配置される位置を示す構成図である。
【図５】本発明の実例となる実施形態に係る制御回路を示す構成図である。
【図６Ａ】本発明の実例となる実施形態に係るＬＣＤパネルを示す構成図である。
【図６Ｂ】本発明の実例となる実施形態に係るＬＣＤパネルを示す構成図である。
【図７】本発明の実例となる実施形態に係る端末を示すブロック図である。
【図８】本発明の実例となる実施形態に係る感光性制御方法を示すフローチャートである。
【発明を実施するための形態】
【００２２】
以下に、本発明の実施例を詳細に説明する。前記実施例の実例が図面において示されるが、異なる図面における同一の数字は、特に示さない限り、同一又は類似の要素を表す。例示的な実施例の以下の説明に記載される実施形態は、本発明と一致する全ての実施形態を表すものではない。逆に、それらは、添付の特許請求の範囲に記載の本発明に関連する態様と一致する装置及び方法の単なる例示である。
【００２３】
本発明の実施形態を紹介し記述する前に、まず、ＯＬＥＤ（Ｏｒｇａｎｉｃ  Ｌｉｇｈｔ  Ｅｍｉｔｔｉｎｇ  Ｄｉｓｐｌａｙ、有機発光ディスプレイ）パネルを簡単に記述する。図１は、ＯＬＥＤパネルを示す構成図である。
【００２４】
図１に示すように、当該ＯＬＥＤパネルは、アレイ基板１１０と、ＯＬＥＤ層１２０と、ガラス基板１３０と、偏光板１４０とを含む。
【００２５】
ＯＬＥＤ層１２０はアレイ基板１１０の上層に位置し、ガラス基板１３０はＯＬＥＤ層１２０の上層に位置し、偏光板１４０はガラス基板１３０の上層に位置する。
【００２６】
ＯＬＥＤ層１２０は、ｍ×ｎ個の画素ユニットを含む。各画素ユニットは、Ｋ個のサブ画素ユニットを含む。一般に、各画素ユニットは、３つのサブ画素ユニットを含み、それらは、赤（Ｒ）サブ画素ユニット、緑（Ｇ）サブ画素ユニット、青（Ｂ）サブ画素ユニットである。いくつかの実施形態においては、各画素ユニットが４個のサブ画素ユニットを含み、それらは、赤（Ｒ）サブ画素ユニット、緑（Ｇ）サブ画素ユニット、青（Ｂ）サブ画素ユニット、白（Ｗ）サブ画素ユニットである。すなわち、Ｋの数は３または４である。
【００２７】
同様に、アレイ基板１１０も、ＯＬＥＤ層１２０におけるｍ×ｎ個の画素ユニットに対応するｍ×ｎ個の画素ユニットを含む。アレイ基板１１０の各画素ユニットは、Ｋ個のサブ画素ユニットを含み、Ｋは３または４である。
【００２８】
図２は、アレイ基板１１０の画素ユニットの配置を示す構成図である。図２に示したように、当該領域において、４×４個の画素ユニット、すなわち１６個の画素ユニットを含み、各画素ユニットは、３個のサブ画素ユニット２０を含む。各サブ画素ユニット２０は、薄膜トランジスタ（ＴＦＴ）領域２２と非ＴＦＴ領域２４を含む。
【００２９】
図２は、単に、アレイ基板１１０の部分領域を示しているだけであることに気付くべきである。すなわち、アレイ基板１１０は、図２に示した複数の領域から構成されることができる。図２に示した配置は、単に例示と説明のためであり、他の配置は、本発明の実施形態では定義されないだけである。
【００３０】
偏光板１４０は、ガラス基板１３０の表面上に配置される。
【００３１】
アレイ基板１１０は、ＯＬＥＤ層１２０に駆動電界を提供し、電界の駆動により、ＯＬＥＤ層１２０における有機半導体材料や発光材料は、発光するよう作動させられる。その結果、発光された光は、ガラス基板１３０と偏光板１４０を下から上へ連続的に通過して、それによって画像を表示する。
【００３２】
図３Ａは、本発明の実例となる実施形態に係るＯＬＥＤパネルを示す構成図である。当該ＯＬＥＤパネルは、例えば、携帯電話、タブレットコンピュータやラップトップコンピュータ等のような電気装置に使われる。図３Ａに示すように、当該ＯＬＥＤパネルは、アレイ基板３１０Ａと、アレイ基板３１０Ａの上層に位置するＯＬＥＤ層３２０Ａと、アレイ基板３１０Ａと同じ層に位置する感光素子アレイ３３０Ａと、及び感光素子アレイ３３０Ａに接続された制御回路（不図示）とを備える。
【００３３】
代替的に、図１に示したように、ガラス基板（不図示）と偏光板（不図示）がＯＬＥＤ層３２０Ａの上に配置されてもよい。
【００３４】
上述したように、本発明の実施形態に係るＯＬＥＤパネルによると、感光素子アレイが、ＯＬＥＤパネルのアレイ基板の上に、又は、アレイ基板とＯＬＥＤ層との上層に配置されることにより、モバイル端末の前面板が一般に複数の領域に分けられる必要がある問題を解決する。また、カメラ機能が、ＯＬＥＤパネルの中に統合され、端末の前面板に単にＯＬＥＤパネルが配置されても、画像表示機能及びカメラ機能を有し、それによって、端末における前面板の全体の一貫性及び美観を高める。
【００３５】
図３Ｂは、本発明の別の実例となる実施形態に係るＯＬＥＤパネルを示す構成図である。当該ＯＬＥＤパネルは、例えば、携帯電話、タブレットコンピュータやラップトップコンピュータなどのような電気装置に使われる。図３Ｂに示すように、当該ＯＬＥＤパネルは、アレイ基板３１０Ｂと、アレイ基板の上層に位置するＯＬＥＤ層３２０Ｂと、アレイ基板３１０ＢとＯＬＥＤ層３２０Ｂとの間に配置される感光素子アレイ３３０Ｂと、及び感光素子アレイに接続され制御回路（不図示）とを備える。
【００３６】
代替的に、ＯＬＥＤ層３２０Ｂの上にガラス基板３４０Ｂと偏光板３５０Ｂとが配置されてもよい。
【００３７】
上述したように、本発明の実施形態に係るＯＬＥＤパネルによると、感光素子アレイ３３０Ｂが、ＯＬＥＤパネルのアレイ基板の上に、又は、アレイ基板とＯＬＥＤ層との上層に配置されることにより、モバイル端末の前面板が一般に複数の領域に分けられる必要がある問題を解決する。また、カメラ機能が、ＯＬＥＤパネルの中に統合され、端末の前面板に単にＯＬＥＤパネルが配置されても、画像表示機能及びカメラ機能を有し、それによって、端末における前面板の全体の一貫性及び美観を高める。
【００３８】
図３Ａで示される実施形態により提供される別の実施形態においては、感光素子アレイ３３０Ａは、ａ×ｂ個の感光素子を含む。各感光素子は、アレイ基板３１０Ａの一つのサブ画素ユニットに対応し、ａ≦Ｋ×ｍ、かつｂ≦ｎである。ＯＬＥＤパネルの正面図では、各感光素子は、一つのサブ画素ユニットにより占められる領域より小さい横断面の領域である。画像を収集する間に、各感光素子は、一つのサブ画素ユニットに対する感光信号を収集するために用いられる。
【００３９】
感光素子の数には、以下の２つの場合がある。
【００４０】
１．感光素子の数は、アレイ基板におけるサブ画素ユニットの数に等しい、すなわち、ａ＝Ｋ×ｍ、かつｂ＝ｎである。
【００４１】
２．感光素子の数は、アレイ基板におけるサブ画素ユニットの数より少ない、すなわち、ａ＜Ｋ×ｍ、かつｂ＜ｎ、又は、ａ＜Ｋ×ｍ、かつｂ＝ｎ、又は、ａ＝Ｋ×ｍ、かつｂ＜ｎである。
【００４２】
感光素子の異なる数に対応して、感光素子がどこに配置されるかという実例として示す位置には、以下のいくつの場合がある。
【００４３】
１．感光素子アレイにおける感光素子は、アレイ基板におけるサブ画素ユニットに一対一に対応する。そこにおいて、ａ＝Ｋ×ｍ、かつｂ＝ｎ、すなわち、各サブ画素ユニットは、一つの感光素子に対応する。
【００４４】
代替的に、少なくとも一つの感光素子が存在する位置は、対応するサブ画素ユニットにおける非ＴＦＴ領域に配置される。
【００４５】
一般的には、感光素子とそれに接続される回路のサイズの観点において、感光素子が存在する位置は、対応するサブ画素ユニットにおける非ＴＦＴ領域に配置される。しかし、いくつかの実施形態においては、感光素子が存在する位置は、対応するサブ画素ユニットにおけるＴＦＴ領域に配置される。
【００４６】
図４Ａに示すように、アレイ基板に配置された感光素子アレイを例として、アレイ基板は、２×４個の画素ユニット３１を含む、すなわち、２４（８×３）個のサブ画素ユニット３１を含む。アレイ基板は、さらに、６×４個の感光素子３３を含む、すなわち、２４個の感光素子３３を含む。各サブ画素ユニット３１の非ＴＦＴ領域には、一つの対応する感光素子３３が配置される。
【００４７】
２．感光素子アレイは、アレイ基板の部分領域に位置し、感光素子アレイにおける感光素子は、当該部分領域におけるサブ画素ユニットに一対一に対応する。そこにおいて、ａ＜Ｋ×ｍ、かつｂ＜ｎ、又は、ａ＜Ｋ×ｍ、かつｂ＝ｎ、又は、ａ＝Ｋ×ｍ、かつｂ＜ｎ、すなわち、アレイ基板の部分領域における各サブ画素ユニットは、一つの感光素子に対応する。
【００４８】
代替的に、少なくとも一つの感光素子が存在する位置は、対応するサブ画素ユニットにおける非ＴＦＴ領域に配置される。
【００４９】
図４Ｂに示すように、当該アレイ基板に配置された感光素子アレイを例として、アレイ基板は、２×４個の画素ユニットを含む、すなわち、２４（８×３）個のサブ画素ユニットを含む。当該アレイ基板は、さらに、９（３×３）個の感光素子を含む。部分領域に配置された９個のサブ画素ユニットに対して、各サブ画素ユニットには、一つの対応する感光素子３３が配置される。  
【００５０】
３．アレイ基板の全体領域には、アレイ基板のいくつかのサブ画素ユニットに対応する感光素子が配置される。感光素子は、分かれて配置され、そこにおいて、ａ＜Ｋ×ｍ、かつｂ＜ｎ、又は、ａ＜Ｋ×ｍ、かつｂ＝ｎ、又は、ａ＝Ｋ×ｍ、かつｂ＜ｎである。
【００５１】
代替的に、少なくとも一つの感光素子が存在する位置は、対応するサブ画素ユニットにおける非ＴＦＴ領域に配置される。
【００５２】
感光素子は、アレイ基板のいくつかのサブ画素ユニットに対応する。すなわち、
感光素子は、アレイ基板の全体領域に均等に分散配置される。しかしながら、いくつかのサブ画素ユニットのそれぞれには、一つの感光素子が配置される一方、他のサブ画素ユニットには、感光素子が配置されない。
【００５３】
図４Ｃに示すように、アレイ基板に配置された感光素子アレイを例にとると、当該アレイ基板は、１２（３×４）個の画素ユニット３１を含む、すなわち、３６（１２×３）個のサブ画素ユニットを含む。当該アレイ基板は、さらに、３×４個の感光素子３３を含む、すなわち、１２個の感光素子３３を含む。アレイ基板の最初の行を例にとると、左から右側へ、第１の画素ユニットの第１のサブ画素ユニット３５には、一つの感光素子３３が配置され、第２の画素ユニットの第２のサブ画素ユニット３６には、一つの感光素子３３が配置され、第３の画素ユニットの第３のサブ画素ユニット３７には、一つの感光素子３３が配置される。
【００５４】
代替的に、感光素子アレイは、さらに、アレイ基板とＯＬＥＤ層との間に配置されてもよい。感光素子が存在する位置は、対応するサブ画素ユニットの上に配置される。
【００５５】
感光素子アレイがアレイ基板とＯＬＥＤ層との間に配置される場合において、感光素子が存在する位置は、対応するサブ画素ユニットの上に配置される。すなわち、感光素子が存在する位置は、対応するサブ画素ユニットのＴＦＴ領域の上、又は、対応するサブ画素ユニットの非ＴＦＴ領域の上に配置される。
【００５６】
図４Ｄに示すように、アレイ基板とＯＬＥＤ層との間に配置された感光素子アレイを例にとると、いくつかの感光素子３３は、対応するサブ画素ユニットのＴＦＴ領域３２の上に配置され、かつ、他の感光素子３３は、対応するサブ画素ユニットの非ＴＦＴ領域３４の上に配置される。
【００５７】
図４Ａ〜４Ｄは、感光素子が配置されるいくつかの位置を示す単なるいくつかの例にすぎず、上述した場合の組み合わせに基づいて、感光素子が配置される他の位置を取得することは、技術分野の当業者にとって明らかであり、他の可能な位置のアレンジは、本発明の実施形態によってこの中に限定されるものではない。
【００５８】
図５は、感光素子アレイに接続された制御回路を示す構成図である。当該制御回路は、ａ本の列の複数のデータ線４１と、ｂ本の行の複数の制御線４２を含む。
【００５９】
複数の制御線４２の各行は、それぞれａ個のスイッチ４５を介して、ａ本の列の複数のデータ線４１と接続される。各スイッチ４５は、制御端子４６が制御線４２に接続され、第１接続端子４３が対応する感光素子３３に接続され、第２接続端子４４が対応するデータ線４１に接続される。
【００６０】
図５に示すように、制御回路は、３行の制御線４２と、４列のデータ線４１と、３×４個の感光素子、すなわち、１２個の感光素子とを含むと仮定する。図５のデータは、単なる例示であり、ａやｂという特定の数字はここでは限定されない。
【００６１】
アレイ基板は、Ｋ×ｍ列の画素データ線と、ｎ行の画素制御線とも含む、ということは、技術分野の当業者には知られる。画素データ線と画素制御線とは、ＴＦＴデバイスを介してサブ画素ユニットに接続される。アレイ基板においてＴＦＴを接続するための画素データ線と画素制御線から構成される制御回路は、図４に示したものと類似し、ここでは詳細に説明しない。
【００６２】
図３Ａまたは図３Ｂで示した代替的な実施形態において、各感光素子が感光する側には、更に、レンズが配置され、即ち、レンズの数は、感光素子の数と同じである。図６Ａに示すように、各感光素子５２には、一つのレンズ５４が配置される。代替的に、当該レンズ５４は、凸面を有する半レンズである。
【００６３】
感光素子アレイが感光する側には、更に、レンズが配置され、即ち、感光素子アレイの上にはレンズが有り、当該レンズはすべての感光素子をカバーすることができる。図６Ｂに示すように、感光素子アレイ５６における感光する側には、一つのレンズ５８が配置される。代替的に、当該レンズ５８は、凸面を有する半レンズである。代替的に、当該レンズ５８は、図１に示した偏光板の上層に配置される。
【００６４】
本実施例では、更に、感光素子が感光する表面または感光素子アレイが感光する側にレンズを配置することによって、感光素子の感光範囲がより大きくなり、取得された画像効果がより良くなる。
【００６５】
図７は、本発明の実例となる実施形態に係る端末を示すブロック図である。図７に示したように、端末７００は、ＯＬＥＤパネル７１０と、感光制御部７２０と、メモリ７３０と、処理部７４０と、電源部７５０と、オーディオ部７６０と、入出力（Ｉ／Ｏ）インターフェース７７０とを含む。
【００６６】
ＯＬＥＤパネル７１０は、上述の実施形態により提供される図３Ａ、図３Ｂ、図６Ａ及び図６Ｂで示されたＯＬＥＤパネルのいずれか１つである。
【００６７】
感光制御部７２０は、ＯＬＥＤパネル７１０において制御回路に接続される。感光制御部７２０は、ぞれぞれに制御回路の各データ線に接続され、さらに、制御回路の各制御線に接続される。当該制御回路は、ＯＬＥＤパネル７１０の感光素子アレイに接続される。
【００６８】
メモリ７３０は、端末７００に対する操作をサポートするため、様々なタイプのデータを記憶するように構成される。そのようなデータの例は、端末７００上で操作される何らかのアプリケーションや方法のための命令、連絡データ、電話帳データ、メーセージ、画像、動画などを含む。メモリ７３０は、なんらかのタイプの揮発性又は不揮発性の記憶装置、又は、それらの組合せ、例えば、静的ランダムアクセスメモリ（ＲＡＭ）、電気的に消去可能かつプログラム可能な読み出し専用メモリ（ＥＥＰＲＯＭ）、消去可能かつプログラム可能な読み出し専用メモリ（ＥＰＲＯＭ）、プログラム可能な読み出し専用メモリ（ＰＲＯＭ）、読み出し専用メモリ（ＲＯＭ）、磁気メモリ、フラッシュメモリ、磁気又は光学ディスクを用いて実装される。
【００６９】
処理部７４０は、典型的には、端末７００の全体の操作、例えば、ディスプレイ、電話呼び出し、データ通信、カメラ操作及び記録操作に関連した操作を制御する。処理部７４０は、１つ以上のプロセッサを含み、上述した方法におけるステップの全て又は一部を遂行するための命令を実行する。さらに、処理部７４０は、処理部７４０と他の構成部との間の相互作用を容易にする１つ以上のモジュールを含む。
【００７０】
電源部７５０は、装置７００の様々な構成部に電力を供給する。電源部７５０は、電源管理システム、１つ以上の電源及び端末７００における電力の発生、管理、分配に関連するその他の構成部を含んでいてもよい。
【００７１】
オーディオ部７６０は、音声信号を出力及び／又は入力するよう構成される。例えば、オーディオ部７６０は、端末７００が、例えば、電話モード、記録モード及び音声認識モードのような操作モードにあるとき、外部の音声信号を受信するように構成されたマイク（ＭＩＣ）を含む。受信した音声信号は、さらにメモリ７３０に記憶されてもよい。ある実施形態では、オーディオ部７６０は、さらに音声信号を出力するためのスピーカーを含む。
【００７２】
Ｉ／Ｏインターフェース７７０は、処理部７４０及び、例えば、キーボード、クリックホイール、ボタンなどのような周辺インターフェースモジュールに対して、インターフェースを提供する。ボタンは、ホームボタン、ボリュームボタン、開始ボタン、ロックボタンを含んでもよいが、これらに限定されるものではない。
【００７３】
図８は、本発明の実例となる実施形態に係る感光制御方法を示すフローチャートである。本実施形態においては、図７に示した端末内部の感光制御部において用いられる感光制御方法を例にとる。この方法は以下のステップを含む。
【００７４】
ステップ８０１において、第ｉ行の前記感光素子とデータ線とが接続されるように制御するためのイネーブル信号を、第ｉ行の制御線に送信する
【００７５】
イネーブル信号は、第ｉ行の感光素子を制御してデータ線と通信するように構成される。感光制御部は、制御回路の第i行の制御線にイネーブル信号を送信する。イネーブル信号により、第ｉ行の感光素子は、制御回路のデータ線と通信する。
【００７６】
図５に示したように、例えば、制御回路は、４列のデータ線４１と、３行の制御線４２と、各行の４個の感光素子３３（すなわち、合計１２個の感光素子３３）とを含むということを仮定する。感光制御部が第１行の制御線４２にイネーブル信号を送信すると、第１行の４個のスイッチ４５は全てオンの状態となり、第１行の４個の感光素子３３は、対応するデータ線４１と通信する。
【００７７】
ステップ８０２において、データ線を介して第ｉ行の感光素子により収集された感光信号を取得する。
【００７８】
感光制御部は、データ線を介して第ｉ行の感光素子により収集された感光信号を取得する。感光素子により収集された後、感光信号は、データ線との通信により感光制御部へ送信される。
【００７９】
図５に示したように、例えば、制御回路は、４列のデータ線４１と、３行の制御線４３と、各行の４個の感光素子３３（すなわち、合計１２個の感光素子３３）とを含むということを仮定する。第１行の４個の感光素子３３がデータ線４１と通信した後、感光制御部は、４列のデータ線４１を介して、４個の感光素子３３により収集された感光信号を取得する。
【００８０】
感光制御部により得られた感光信号は、アナログ信号である。アナログ信号は、アナログデジタル変換器によりデジタル信号に変換され、デジタル信号はメモリに記憶される。
【００８１】
ステップ８０３において、ｉがｂより小さい場合、ｉ＝ｉ＋１に設定し、第ｉ行の制御線にイネーブル信号を送信するステップを再度実行する。
【００８２】
ｉは制御線の行番号を表し、ｂは行の合計数を表す。ｉがｂより小さい場合、ｉ＝ｉ＋１に設定し、感光制御部は、ｉ＋１行の制御線へイネーブル信号を送信する。ｉ＝ｂの場合、ステップ８０４が実行される。
【００８３】
図４に示したように、例えば、制御回路は、８行の制御線を含むと仮定する。感光制御部が、所定の期間の間に、第３行の制御線へイネーブル信号を送信する場合、すなわちｉ＝３＜８の場合、ｉ＝４に設定し、イネーブル信号が第８行の制御線へ送信されるまで、イネーブル信号は、再び第４行の制御線へ送信される。すなわち、感光制御部は、所定の時間間隔で、１行ずつ、制御線へイネーブル信号を送信する。
【００８４】
ステップ８０４において、ｉがｂに等しい場合、ｉ＝１に設定し、第ｉ行の制御線にイネーブル信号を送信するステップを再度実行する。
【００８５】
ｉがｂに等しい場合、ｉ＝１に設定し、感光制御部は、第１行の制御線へイネーブル信号を送信する。すなわち、感光制御部が全ての行の制御線へイネーブル信号を送信した後、イネーブル信号は、再び第１行から制御線へ送信される。
【００８６】
ステップ８０４を完了した後、ステップ８０１が再び実行され、ステップ８０１から８０４は循環して実行される。すなわち、ｉが初期値の１である場合、現在のフレームに対応する感光信号を収集するため、イネーブル信号は、１行ずつ最初の行から最後の行までの制御線へ送信される。その後、次のフレームに対応する感光信号を収集するため、イネーブル信号が１行ずつ最初の行から最後の行までの制御線へ送信される、ということが繰り返される。
【００８７】
上述したように、本発明の実施形態が提供する感光制御方法によれば、感光制御部は、１行ずつ、制御回路の制御線へイネーブル信号を送信し、その結果、制御回路の感光素子は、データ線と通信し、オンの状態で制御線を介して感光信号を取得し、感光信号を処理する。そして、カメラ識機能をＯＬＥＤパネルの中へ統合することとなり、その結果、端末の前面板に単にＯＬＥＤパネルが配置されても、画像表示機能及びカメラ機能を有し、それによって、端末における前面板の全体の一貫性及び美観を高める。
【００８８】
本発明の他の実施形態は、本明細書で開示される発明の明細及び実施の考慮から、当業者にとって明らかであろう。この出願は、発明の一般的概念に従い、かつ、当技術分野における公知又は慣用の範囲内で本開示から逸脱するものを含む、本発明の如何なる変形、使用、適合にも及ぶことが意図される。明細及び実施例は、以下の特許請求の範囲によって示される本発明の実質的な範囲及び精神で、例示としてのみ考慮されることが意図される。
【００８９】
本発明は、上述されかつ添付の図面に図示された厳密な構成に限定されず、かつ、本発明の範囲を逸脱しない範囲で様々な修正及び変更を行うことができるとわかるであろう。本発明の範囲は、添付の特許請求の範囲によってのみ限定されるものであることが意図される。
【図１】
0006570615.tif 000002
【図２】
0006570615.tif 000003
【図３Ａ】
0006570615.tif 000004
【図３Ｂ】
0006570615.tif 000005
【図４Ａ】
0006570615.tif 000006
【図４Ｂ】
0006570615.tif 000007
【図４Ｃ】
0006570615.tif 000008
【図４Ｄ】
0006570615.tif 000009
【図５】
0006570615.tif 000010
【図６Ａ】
0006570615.tif 000011
【図６Ｂ】
0006570615.tif 000012
【図７】
0006570615.tif 000013
【図８】
0006570615.tif 000014